(57)【特許請求の範囲】
【請求項１】
地盤に長孔を穿孔する穿孔工程と、
前記長孔に生分解性樹脂からなる中実の棒体を、吐出口を有する注入ホースとともに挿入する挿入工程と、
前記注入ホースの内部に地盤を補強する薬液を注入する注入工程と、
前記地盤を掘削する掘削工程と、
前記掘削した土を排出する排出工程とを備え、
前記薬液の成分が、水ガラスをとグリオキザールとリン酸と水とを含み、
前記挿入工程において、複数の可撓性を有する長尺の前記棒体を、生分解性を有する結束紐で所定の間隔で結束しつつ、前記注入ホースとともに挿入する
ことを特徴とする地盤掘削方法。
【請求項２】
前記薬液において前記水ガラス２００リットルに対して前記リン酸を７５％濃度換算で４．５〜７．０リットル配合する
ことを特徴とする請求項１に記載の地盤掘削方法。
【発明の詳細な説明】
【技術分野】
【０００１】
本発明は地盤を補強して掘削する方法に関する。
【背景技術】
【０００２】
トンネル掘削工事における切羽の安定対策の補助工法として先受け工法や、鏡面の補強として鏡ボルトを打設して鏡面の崩落を防止する方法が知られている。切羽の崩落を防ぐためのこれらの工法は、吐出口を有する管を地盤に打設し、地盤を補強するための薬液を管の内部に注入し、吐出口から周囲の地盤に薬液を浸透させて硬化させることによって行われる。
このとき、土中の環境負荷の軽減のため、前記管として生分解性樹脂からなるものを用いた工法も知られている（特許文献１、２参照）。
【特許文献１】特開２００７−４００５７
【特許文献２】特開２００３−３１６８
【発明の開示】
【発明が解決しようとする課題】
【０００３】
管に生分解性樹脂を使用した場合、掘削した後の残土に混じる管の破片は分別処理する必要がない。しかし、地盤を補強するために注入した薬液も残土に含まれる。特許文献２に記載されているウレタン系薬液は、緊急やむを得ない状況下で使用が許容されるものの、通常のトンネル補助工法に使用が許可されているものではない。また掘削土に混入するウレタンの固結物は産業廃棄物として処理されており、掘削土の廃棄処分は煩雑でありかつ高コストとなるという問題があった。
また、セメント系硬化剤を使用した場合、環境汚染物質である六価クロムが溶出するおそれがあるため、掘削土を一般残土として処理することができないという問題があった。
【０００４】
本発明はこのような従来の技術の問題を解決しようとするものであり、地盤を補強したあと掘削したとき、産業廃棄物が発生することなく、掘削土を一般残土として廃棄処理することが可能な地盤掘削方法を提供することを目的とするものである。
【課題を解決するための手段】
【０００９】
本発明は、前記課題を解決するためになされたもので、請求項１に記載の発明は、地盤に長孔を穿孔する穿孔工程と、前記長孔に生分解性樹脂からなる中実の棒体を、吐出口を有する注入ホースとともに挿入する挿入工程と、前記注入ホースの内部に地盤を補強する薬液を注入する注入工程と、前記地盤を掘削する掘削工程と、前記掘削した土を排出する排出工程とを備え、前記薬液の成分が、水ガラスをとグリオキザールとリン酸と水とを含み、前記挿入工程において、複数の可撓性を有する長尺の前記棒体を、生分解性を有する結束紐で所定の間隔で結束しつつ、前記注入ホースとともに挿入することを特徴とする地盤掘削方法である。
【００１０】
請求項１に記載の発明によれば、地盤に打設する生分解性樹脂の形状が中実であるため高強度であり、生分解性樹脂からなる中実の棒体をロール状にして持ち運ぶことができ、地盤に穿孔した長孔の長さに応じて適宜切断することが可能となり、定尺の管体や棒体を連結する工程が不要となり低コストとなる。また、地盤の掘削時に発生する掘削土の中に混入するのは生分解性材料の破砕物および水ガラスの固結物のみであるため、分別する必要はなく、全て一般残土として廃棄することができる。
【００１１】
また請求項２に記載の発明は、前記薬液において前記水ガラス２００リットルに対して前記リン酸を７５％濃度換算で４．５〜７．０リットル配合することを特徴とする請求項１に記載の地盤掘削方法である。
【００１２】
請求項２に記載の発明によれば、地盤補強に適した固結強度を実現しつつ、薬液が地盤に浸透するのに十分なゲル化時間を確保することができる。
【発明の効果】
【００１３】
本発明によれば、地盤の掘削時に発生する掘削土の中に混入するのは生分解性材料の破砕物および水ガラスの固結物のみであるため、分別する必要はなく、全て一般残土として廃棄することができる。
【発明を実施するための最良の形態】
【００１４】
まず本発明の地盤掘削方法に用いられる地盤補強用の薬液について説明する。
本発明の地盤掘削方法に用いられる地盤補強用の薬液は、水ガラスを主成分とするＡ液と、グリオキザール、リン酸および水を主成分とするＢ液とからなる。
【００１５】
Ａ液とＢ液を混合することによってまずグリオキザールが水ガラス中のアルカリの存在下で加水分解し、グリコール酸を生成する。その後、水ガラスがグリコール酸と反応し、グリコール酸ソーダと不溶性の珪酸ゲルを生成する。また、リン酸によってゲル化時間が短縮され、リン酸の添加量によってゲル化時間を制御することが可能となる。
固化した薬液はグリコール酸ナトリウムおよび珪酸ゲルを含んでいる。珪酸ゲルは自然界に存在するシリカと同じで無害である。また、グリコール酸ナトリウムも環境に害を与えることはなく、最終的には炭酸ナトリウムと炭酸ガスと水とに分解され、これらも同様に無害である。
【００１６】
（実施例）
以下本発明の地盤掘削方法に用いる薬液の実施例について説明するが、本発明はこの実施例によって限定されるものではない。
【００１７】
表１に示す配合の薬液におけるゲル化時間および２４時間後の圧縮強度について試験した結果をしめす。使用した材料は以下の通りである。
水ガラス              ＪＩＳ  Ｋ１４０８  ３号、比重１．４０
グリオキザール        純分４０％、比重１．２５
リン酸                濃度７５％、比重１．５８
【００１８】
【表１】
0004741619.tif 000002
【００１９】
表１の実施例１〜８において、水ガラスおよびグリオキザールの配合は一定であるが、リン酸の配合量は各実施例ごとに異なっており、４００Ｌ当たり４．５〜７．０Ｌまで変化させている。また実施例９および１０では、リン酸が配合されていない。
【００２０】
試験の結果、リン酸の配合量が増加するとともに圧縮強度は増加し、ゲル化時間は短縮するという傾向が示されている。ここで、実施例１，２，４，５において圧縮強度のデータが得られていないが、上記の傾向から、実施例１〜９のいずれの実施例においても圧縮強度は１．０ＭＰａを超えることが明らかであり、トンネルの補助工法における使用に耐える強度を備えている。また、ゲル化時間については７秒から６０分まで調節することができ、種々の土質に浸透させることが可能であり、地盤の土質や用途に応じて適宜な薬液配合を選択することができる。
なお、上記実施例以外の配合を採用して、所望のゲル化時間および強度を得ることも適宜行い得る。例えば高強度が不要である場合に、水ガラスの量を減らして水の量を増やすといった配合を採用することも可能である。
【００２１】
次に薬液の分解性について説明する。上述のように混合により反応した薬液はグリコール酸ナトリウム、珪砂および水を含んだ珪酸ゲルである。この珪酸ゲルの経時的な分解について試験した結果を以下に示す。試験を行ったのは上述の実施例４に係る薬液であり、この薬液を砂礫に適用しゲル化させたサンドゲル、および薬液のみでゲル化させたホモゲルそれぞれについて一週間水中で養生し、ゲル化直後の重量と一週間後の重量とを比較した。
【００２２】
その結果、サンドゲルについてはゲル化直後の重量が３８４．８ｇに対して、一週間後の重量が３４１．２ｇとなり、１１．３％の減少となった。一方、ホモゲルについては、ゲル化直後の重量が１８６．７ｇに対して、一週間後の重量が１７７．１ｇとなり、５．１％の減少となった。この重量の減少は、珪酸ゲルが内包する水が外部に放出されているためであり、十分な分解性能を有していることを示している。
【００２３】
次に、上記薬液を用いた本発明に係る地盤掘削方法の実施形態について図面に基づき説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２４】
図１はトンネルの掘削に本発明を適用した場合における切羽の側断面図であり、切羽１周辺にドリルジャンボ２を用いて長孔３を穿孔している状態を示している。図２は地盤に中空の管体５を打設し、薬液を注入する工程を示した図である。図３は地盤に長孔３を穿孔したあと、中実の棒体７を挿入し、薬液を注入する工程を示した図である。図４は地盤に長孔３を穿孔したあと、可撓性を有する長尺の中実の棒体７を挿入し、薬液を注入する工程を示した図である。これらの図に示すとおり、本発明は、薬液注入による地盤の強化と掘削とを交互に行って地盤を掘進する工法であり、地盤に穿孔した長孔３から地中に薬液を注入し、地盤に固結領域４が形成された後掘削し、掘削された土を排出するものである。
【００２５】
（第１の実施形態）
本発明の第１の実施形態に係る地盤掘削方法を、図１および図２に基づいて以下説明する。本実施形態は、地盤の穿孔と、中空の管体の挿入とを、それぞれ独立に行う形態である。
まず、切羽１において中空の管体を打設する位置および穿孔深さを決め、その位置にドリルジャンボ２等の機械によって穿孔を行う。そして所定の長さの長孔３が穿孔されたことを確認した後、穿孔ロッド２１およびビット２２を引き抜き、長孔３内に残されたスライム等の洗浄を行う。
【００２６】
次に穿孔された長孔３に生分解性樹脂からなるの中空の管体５を挿入する。このとき予め中空の管体の先端部に略円錐形状の先端コーン５２を取り付けておけば、途中で詰まることなく挿入がスムーズとなるため好適である。さらに、この先端コーン５２が生分解性樹脂から成るものであれば、後述の掘削土の処理の際分別する必要がないため、さらに好適である。また、複数の定尺の管体５を、カプラ５３を用いて直列に連結し、適宜延長することも可能であり、このとき先端コーン５２と同様に、カプラ５３が生分解性樹脂から成るものであればさらに好適である。
【００２７】
ここで管体５に使用する生分解性樹脂としては種々のものを採用することができる。地盤補強に用いられる管体５は、地盤の崩落を防ぐため十分なせん断強度を有することが求められているが、こんにゃくから生成される飛粉を含有する生分解性樹脂は機械的特性に優れ、なおかつ低コストであるため、好適に使用される。
また廃棄した場合、水分吸収性が高く土壌中での微生物が発生しやすいため、良好な生分解性を有する。
【００２８】
次に注入工程に移る。管体５を長孔３の奥まで挿入した後、管体５の後部に薬液を注入するための注入プラグ６２を設置し、さらに長孔３と管体５との隙間にウェスやコーキング材などの封止体６１を挿入し封止する。薬液を注入する際隙間から流れ出ないようにするためである。
そして注入プラグ６２に薬液注入用のスタティックミキサーを内蔵したノズル６３、分岐管６４、薬液のＡ液およびＢ液それぞれにつながる連通管６５ａ，６５ｂを接続する。
次にＡ液、Ｂ液それぞれの送液ポンプを作動させノズル６３に向けて送液する。ノズル６３に到達したＡ液およびＢ液はスタティックミキサーより混合され、混合された薬液が管体５の内部に注入される。
【００２９】
管体５の内部に注入された薬液は、管体５の長手方向に所定の間隔で穿設された複数の吐出口５１から外部に吐出され、地盤の隙間や亀裂に浸透する。浸透が十分に行われた後送液ポンプを停止し、注入プラグ６２を取り外す。地盤に浸透した薬液が固化すると、中空の管体および周辺の地盤が固結され、固結領域４が形成される。この手順を所定の本数分繰り返し、地盤の補強が完了する。
【００３０】
次に掘削工程および排出工程に移る。補強された地盤の掘削は、掘削機、油圧ジャンボ等の機械を用いて行われ、掘削土は大型ダンプ、ショベル、ベルトコンベアなどで掘削土置場へと搬送され、排出される。
【００３１】
このとき掘削土には、生分解性樹脂および固結した薬液の破片が含まれる。生分解性樹脂については、掘削土置場にて表面に土が接するように放置することによって確実に分解が進み、最終的には水および二酸化炭素に変化する。一方、薬液はＡ液およびＢ液の混合により化学反応し、グリコール酸ナトリウムおよび珪酸ゲルが生じる。珪酸ゲルは自然界に存在するシリカと同じで無害である。また、グリコール酸ナトリウムも環境に害を与えることはなく、最終的には炭酸ナトリウムと炭酸ガスと水とに分解される。
すなわち、掘削土は産業廃棄物を含んでおらず、分別作業などの特別な廃棄処理は不要であり、全て一般残土として処理することが可能となる。
【００３２】
（第２の実施形態）
次に本発明の第２の実施形態に係る地盤掘削方法を以下説明する。本実施形態は、地盤の穿孔と同時に中空の管体を打設する形態である。
まず、切羽１において中空の管体５を打設する位置および穿孔深さを決める。その位置にドリルジャンボ２等の機械によって穿孔を行う。このとき穿孔ロッド２１に代えて管体５を直接連結し、先端にはビット２２を装着した上で穿孔する。所定の長さの長孔３が穿孔され、管体５が挿入されたたことを確認した後、ドリルジャンボ２等の機械と管体５との結合を解除する。この工程により、地盤への穿孔と管体５の打設とを同時に行うことができる。また管体５の先端に取り付ける先端コーン５２も不要となる。
この後の注入工程、掘削工程および排出工程は第１の実施形態と同様である。
【００３３】
また、内径の大きい中空の管体を打設する場合、以下のような工程を適用することができる。
まず、切羽１において中空の管体５を打設する位置および穿孔深さを決める。その位置にドリルジャンボ２等の機械によって穿孔を行う。このとき穿孔ロッド２１を管体５に挿入し、穿孔ロッド２１の先端にはインナービットおよびリングビットを装着する。このときインナービットおよびリングビットには、特開２００４−１９０２７０に開示されたものを使用するのが好適である。そして、所定の長さの長孔３を穿孔し、管体５が挿入されたたことを確認した後、穿孔ロッド２１およびインナービッド２３を管体５から抜いて回収する。この工程により、地盤への穿孔と管体５の打設とを同時に行うことができる。
【００３４】
次に注入工程として、第１の実施形態と同様の注入工程を適用することも可能であるが、管体５の内部に直接薬液を注入するのに代えて、長孔３の奥部に到達するようなホースを管体５の内部に挿入し、このホースに薬液を注入して、管体５に穿設された複数の吐出口５１から地盤の隙間や亀裂に浸透させることが可能である。また、長さの異なるホースを複数同時に挿入して使用すれば、薬液を地盤にむらなく浸透させることが可能となる。
この後の掘削工程および排出工程は第１の実施形態と同様である。なお、注入工程においてホースは地盤に固着されるが、その後の掘削工程においてもホースは破砕されず、長尺を保っているため、掘削土の中からホースを分別して廃棄することは容易である。またホースに生分解性の樹脂が用いられていれば、分別廃棄の必要はない。
【００３５】
（第３の実施形態）
次に本発明の第３の実施形態に係る地盤掘削方法を、図１および図３に基づいて以下説明する。本実施形態は、中空の管体に代えて中実の棒体を用いる形態である。
まず、切羽１において中実の棒体７を打設する位置および穿孔深さを決め、その位置にドリルジャンボ２等の機械によって穿孔を行う。そして所定の長さの長孔３が穿孔されたことを確認した後、穿孔ロッド２１およびビット２２を引き抜き、長孔内に残されたスライム等の洗浄を行う。
【００３６】
次に穿孔された長孔に生分解性樹脂からなる中実の棒体７を、吐出口６６１を有する注入ホース６６とともに挿入する。このとき予め棒体７の先端部に略円錐形状の先端コーン７１を取り付けておけば、途中で詰まることなく挿入がスムーズとなるため好適である。さらに、この先端コーン７１が生分解性樹脂から成るものであれば、後述の掘削土の処理の際分別する必要がないため、さらに好適である。また、棒体７と注入ホース６６とを併せて長孔３に挿入するため、棒体７と注入ホース６６とを生分解性を有する結束紐６７で結んでおくのが好適である。なお、棒体７に使用する生分解性樹脂としては第１の実施形態と同様に選択することができる。また、第１の実施形態と同様に、複数の定尺の棒体７を、カプラ（図示しない）を用いて直列に連結し、適宜延長することも可能であり、このとき先端コーン７１と同様に、カプラが生分解性樹脂から成るものであればさらに好適である。
【００３７】
次に注入工程に移る。棒体７および注入ホース６６を長孔３の奥まで挿入した後、注入ホース６６の後部に薬液を注入するための注入プラグ６２を設置し、さらに長孔３と棒体７および注入ホース６６との隙間にウェスやコーキング材などの封止材６１を挿入し封止する。薬液を注入する際隙間から流れ出ないようにするためである。
そして注入プラグ６２に薬液注入用のスタティックミキサーを内蔵したノズル６３、分岐管６４、薬液のＡ液およびＢ液それぞれにつながる連通管６５ａ，６５ｂを接続する。
次にＡ液、Ｂ液それぞれの送液ポンプを作動させノズル６３に向けて送液する。ノズル６３に到達したＡ液およびＢ液はスタティックミキサーより混合され、混合された薬液が注入ホース６６に注入される。
【００３８】
注入ホース６６に注入された薬液は、注入ホース６６の吐出口６６１から外部に吐出され、地盤の隙間や亀裂に浸透する。浸透が十分に行われた後送液ポンプを停止する。地盤に浸透した薬液が固化すると、棒体および周辺の地盤が固結され、固結領域４が形成される。この手順を所定の本数分繰り返し、地盤の補強が完了する。
【００３９】
この後の掘削工程および排出工程は第１の実施形態と同様である。なお、注入工程において注入ホース６６は地盤に固着されるが、その後の掘削工程においても注入ホース６６は破砕されず、長尺を保っているため、掘削土の中から注入ホース６６を分別して廃棄することは容易である。また注入ホース６６に生分解性の樹脂が用いられていれば、分別廃棄の必要はない。
【００４０】
（第４の実施形態）
次に本発明の第４の実施形態に係る地盤掘削方法を、図１および図４に基づいて以下説明する。本実施形態は、可撓性のある中実の棒体を複数本束ねて用いる形態である。
まず、切羽１において中実の棒体７を打設する位置および穿孔深さを決め、その位置にドリルジャンボ２等の機械によって穿孔を行う。そして所定の長さの長孔３が穿孔されたことを確認した後、穿孔ロッド２１およびビット２２を引き抜き、長孔３内に残されたスライム等の洗浄を行う。
【００４１】
次に、穿孔された長孔３に、生分解性樹脂からなる中実の棒体７を複数本束ねつつ、吐出口６６１を備える注入ホース６６とともに挿入する。この棒体７ａ，７ｂ，７ｃがそれぞれ可撓性を有していれば、図４に示すように長尺の棒をロール状にして運搬可能であるため好適である。そして複数本束ねることによって強度を高めることができる。束ねる本数に制限はないが、図４に示すように棒体７ａ，７ｂ，７ｃの三本を束ねる場合、小さな断面積に多くの本数を納めることができるため好適である。また、結束紐６７を用いて棒体を束ねると、地盤中で一本一本が離れて進入が妨げられるということがない。なお、結束紐６７も棒体７と同様に生分解性樹脂からなるものを使用すれば、掘削土について分別作業などの特別な廃棄処理は不要となり好適である。また、棒体７と注入ホース６６とを併せて長孔に挿入するため、棒体７と注入ホース６６とを結束紐６７で結んでおくのが好適である。そして、棒体７および注入ホース６６を奥まで挿入した後、棒体７を切断する。
この後の注入工程、掘削工程および排出工程は第２の実施形態と同様である。
【００４２】
なお、以上の実施形態では、切羽を補強して掘削する方法を示したが、本発明は切羽に限らず、地盤に対して垂直堀りする場合や、地盤に対して斜めに削孔する場合などにも適用可能であり、掘削の位置や方向は問わない。また、薬液の注入は図示した形態以外の適宜な方法や手段により行うことが可能である。
【図面の簡単な説明】
【００４３】
【図１】本発明の地盤掘削方法を説明するための切羽の側断面図である。
【図２】本発明の第１の実施形態および第２の実施形態を説明するための切羽の側断面図である。
【図３】本発明の第３の実施形態を説明するための切羽の側断面図である。
【図４】本発明の第４の実施形態を説明するための切羽の側断面図である。
【符号の説明】
【００４４】
１  切羽
２  ドリルジャンボ
２１  穿孔ロッド
２２  ビット
３  長孔
４  固結領域
５  管体
５１  吐出口
５２  先端コーン
５３  カプラ
６１  封止体
６２  注入プラグ
６３  ノズル
６４  分岐管
６５  連通管
６６  注入ホース
６６１  吐出口
６７  結束紐
７  棒体
７１  先端コーン
【図１】
0004741619.tif 000003
【図２】
0004741619.tif 000004
【図３】
0004741619.tif 000005
【図４】
0004741619.tif 000006